(57)【要約】      （修正有）【課題】音響供給源デバイスのための衣服と配線との組み合わせ物を提供する。【解決手段】音響供給源デバイスは、音声ワイヤ１４ａ′、１４ｂ′をフードにある紐通し口５２ａ、５２ｂの中に通し、端部においてイアバッド２２ａ、２２ｂを有する中空の紐内においてワイヤがフードから出るようにさせることによって、フード付き衣服などの衣服と共に用いられ得る。フード内においてワイヤと紐とを互いに固定する手段が示され、フード内における横の移動を防ぐ手段が示される。音響供給源デバイスのための衣服と配線の組み合わせは、衣服、左および右の紐部分、音響接続配線、ワイヤなどを備えている。【選択図】図２
0003179964.tif 000002
【実用新案登録請求の範囲】
【請求項１】
音響供給源デバイスのための衣服と配線との組み合わせ物であって、
フード紐通し口によって規定されるフードを有する衣服と、
左の紐部分および右の紐部分であって、該左の紐部分および右の紐部分は、該フード紐通し口の内部の入口端部から延び、該フードを締めるための該フードの左側および右側の該フード紐通し口の外部の出口端部において終結する、左の紐部分および右の紐部分と、
音響接続配線であって、該音響接続配線は、供給源アクセスコネクタと、左のワイヤおよび右のワイヤとを含み、該左のワイヤおよび右のワイヤは、該コネクタから、それぞれが一対のワイヤのうちの各ワイヤの端部にある左のイアホンおよび右のイアホンまでのものである、音響接続配線と
を含み、
該ワイヤは、該衣服の中に組み込まれ、その結果、該コネクタは、音響供給源デバイスに接続するための該衣服の外部の選択された位置において利用可能であり、該イアホンは、ユーザの耳に配置するために利用可能であり、
該音響接続配線は、第１の部分を有し、該第１の部分は、第１の部分の対のワイヤが結合される該コネクタから分離点まで延び、該分離点において、該第１の部分の対のワイヤは、それぞれの左のイアホンおよび右のイアホンにおいて終結する別個の左のワイヤおよび右のワイヤに分離し、
該第１の部分は、該衣服の外部から該衣服の内部を通り、移動紐通し口において該衣服の内部に延び、次いで該フード紐通し口の中に延び、該分離点は該フード紐通し口の内部にあり、
該別個の左のワイヤおよび右のワイヤは、左および右のそれぞれの紐部分の内部に、該フード紐通し口の各側まで延び、そして、該それぞれの紐の出口端部を越えて延び、
これにより、該イアホンはユーザの耳の中に挿入されることが可能であり、音響デバイスは、該コネクタに接続されることが可能であり、該別個の左および右のワイヤを内部に有する該紐は該フードを締めるために用いられることが可能である、組み合わせ物。
【請求項２】
前記分離点に固定要素をさらに含み、該固定要素は、前記組み合わされたワイヤと、前記紐の前記入口端部と、該紐の内部の前記別個のワイヤとを掴み、その結果、それらのすべてが互いに対して固定される、請求項１に記載の組み合わせ物。
【請求項３】
移動管が、前記衣服の作製のための他の縫い目と少なくとも部分的に共通して該移動管の長さに沿って該移動管を縫い付けることにより、該衣服に取り付けられる、請求項２に記載の組み合わせ物。
【請求項４】
前記ワイヤは、前記衣服のポケットの内部の前記コネクタから延び、該コネクタから該衣服の内部に延びる、請求項３に記載の組み合わせ物。
【請求項５】
ユーザの頭にかぶされるように適合されたフードを有する衣服であって、該フードは締めるためのフード紐通し口を含む、衣服と、
紐部分と配線アセンブリとの組み合わせ物と
を含み、
該紐部分と配線アセンブリとの組み合わせ物は、
中空の左の紐要素と中空の右の紐要素とを含む紐部分であって、各紐要素は該フード紐通し口の内部の入口端部から該フード紐通し口の外部の外部端部まで延びる、紐部分と、
左および右のイアホンワイヤを含む配線アセンブリであって、該フード紐通し口の内部の該紐部分に入り、該左の紐要素および該右の紐要素の内部にそれぞれ延び、該それぞれの紐の該外部端部を出て、それぞれの紐要素の外部の距離を延び、左および右のイアホンにおいて終結する、配線アセンブリと
を含む、組み合わされた衣服およびイアホン。
【請求項６】
前記イアホンワイヤであって、共通の出口開口部を通って前記フード紐通し口を出るように延び、前記衣服の内部に合った移動紐通し口内に延び、該ワイヤは選択された位置において該移動紐通し口を出て、信号供給源への接続のためのコネクタにおいて終結する、イアホンワイヤ
をさらに含む、請求項５に記載の組み合わされた衣服およびイアホン。
【請求項７】
前記移動紐通し口の端部は、前記衣服のポケットに近接しており、前記ワイヤは、音響供給源デバイスへの接続のためのアクセスのために該ポケット内に延びる、請求項６に記載の組み合わされた衣服およびイアホン。
【請求項８】
音響供給源配線と衣服との組み合わせ物であって、
見込みフード紐通し口部分を有するフードを有する衣服と、
左および右の紐を規定する２つの長さの中空の紐であって、該左および右の紐の各々が入口端部および出口端部を有する、中空の紐と、
音響供給源に接続するためのコネクタと、終結端部まで延びる左および右のワイヤ部分とを含む音響接続配線と
を含み、
該左および右のワイヤ部分は、それぞれ、該入口端部と、該中空の紐の該出口端部を越えて延びる該ワイヤ部分の該終結端部とから、該左および右の中空の紐を通って延び、
該中空の紐の入口端部は接近させられ、互いに対して固定され、
該中空の紐は、該見込みフード紐通し口部分の中に延び、その結果、該中空の紐は、該見込みフード紐通し口部分の左および右に対向した方向に延び、
該中空の紐は、該フード紐通し口の内部にあり、該衣服の該左側および右側においてそれぞれ該フード紐通し口を越えて延び、これにより、該ワイヤの該終結端部もまた該フード紐通し口を越えて延び、
該中空の紐は、該フード紐通し口の内部で該衣服に固定され、その結果、該中空の紐は、該フード紐通し口に対して一緒に長手方向には移動することができない、組み合わせ物。
【請求項９】
前記中空の紐は、前記フード紐通し口の中央に近接する地点において該フード紐通し口における前記長手方向の移動に対抗するように固定され、その結果、各紐は実質的に前記フードの半分を締めるために用いられることが可能である、請求項８に記載の組み合わせ物。
【請求項１０】
前記左および右のワイヤの各終結端部におけるイアホンをさらに含み、これにより、該イアホンは、前記衣服を着用しているときに、前記中空の紐の外部において、ユーザの耳に当てるために利用可能であり、該ワイヤがその内部に延びている該紐は前記フードを締めるために用いられることが可能である、請求項９に記載の組み合わせ物。
【請求項１１】
各中空の紐に入る前記ワイヤは、該中空の紐に対して横方向の移動に対抗するように該紐の前記入口端部に固定される、請求項８に記載の組み合わせ物。
【請求項１２】
前記入口端部は、該入口端部にしっかりと適用されることが可能な固定デバイスによって囲まれる、請求項８に記載の組み合わせ物。
【請求項１３】
固定要素をさらに含み、該固定要素は、該固定要素を一緒に保持する前記入口端部に取り付けられ、前記フード紐通し口は、長手方向の移動に対抗して該固定要素を抑えるポケットを規定する該固定要素の左端部および右端部に近接する該フード紐通し口にわたって縫われる、請求項８に記載の組み合わせ物。
【請求項１４】
前記入口端部において前記中空の紐に入る前記ワイヤは、該中空の紐に対して横方向の移動に対抗するように固定される、請求項１２に記載の組み合わせ物。
【請求項１５】
音響供給源デバイスのための衣服と配線との組み合わせ物であって、
開口部部分と、該開口部部分の少なくとも一部の周りに延びる紐通し口とを有する衣服と、
供給源アクセスコネクタを含む音響接続配線であって、該音響接続配線は、第１の部分の対のワイヤを有し、該第１の部分の対のワイヤは、結合されて、該コネクタから分離点まで延び、該分離点において、該結合された一対のワイヤは、それぞれの左および右のイアホンにおいて終結する別個の左および右のワイヤに分離し、該音響接続配線は、該衣服に組み込まれ、その結果、該コネクタは、音響供給源デバイスに接続するための選択された位置において利用可能である、音響接続配線と、
該分離点において該ワイヤの周りに提供され、該ワイヤを意図されない分離に対抗して固定するひずみ解放部材と
を含み、
これにより、音響供給源デバイスは、該コネクタに取り付けられることが可能であり、該イアホンはユーザの耳の中に挿入されることが可能であり、該配線は、該紐通し口内の該ワイヤの意図されない分離に対して保護される、組み合わせ物。
【請求項１６】
前記分離点および前記ひずみ解放部材は、前記紐通し口の内部にあり、該紐通し口から出る前記別個の左および右のワイヤは、それぞれ、前記それぞれの左および右のイアホンにおいて終結する該紐通し口の外部に、ある長さを有する、請求項１５に記載の組み合わせ物。
【請求項１７】
前記ひずみ解放部材に取り付けられ、前記衣服にも取り付けられる固定部材をさらに含むことにより、該衣服に対する前記ワイヤの移動を防ぐ、請求項１５に記載の組み合わせ物。
【請求項１８】
前記ひずみ解放部材に取り付けられ、前記衣服にも取り付けられる固定部材をさらに含むことにより、前記紐通し口の内部での前記ワイヤの横方向の移動を防ぐ、請求項１６に記載の組み合わせ物。
【請求項１９】
前記固定部材は、前記ひずみ解放部材に取り付けられ、かつ、前記紐通し口を規定するヘム縫い目内に一緒に縫い込まれる布製ストリップである、請求項１８に記載の組み合わせ物。
【請求項２０】
前記ひずみ解放部材は、前記分離点において前記ワイヤの周りに適用されたプラスチックバレルである、請求項１５に記載の組み合わせ物。
【請求項２１】
前記プラスチックバレルに接着により適用され、かつ、前記衣服に縫い付けることにより該衣服に取り付けられる布製ストリップを含む固定部材をさらに含む、請求項２０に記載の組み合わせ物。
【請求項２２】
前記分離点および前記ひずみ解放部材は、前記紐通し口の内部にあり、該紐通し口から出る前記別個の左および右のワイヤは、それぞれ、前記それぞれの左および右のイアホンにおいて終結する該紐通し口の外部に、ある長さを有する、請求項２１に記載の組み合わせ物。
【請求項２３】
前記開口部部分は、前記衣服の襟であり、前記紐通し口は、該襟の周りに延びている、請求項１５に記載の組み合わせ物。
【請求項２４】
前記開口部部分は、フードを含み、前記紐通し口は、該フードの周りに延びている、請求項１６に記載の組み合わせ物。
【請求項２５】
前記紐通し口の内部の入口端部から延びる中空の左および右の紐をさらに含み、該中空の左および右の紐の内部に、前記左および右のワイヤがそれぞれ延び、各紐は、入口端部において前記ひずみ解放部材に取り付けられ、前記紐通し口の外部に外部終結端部を有し、各紐中のイアホンは、該紐の該終結端部を越えて該紐内に延び、これにより、該紐または該紐の内部のワイヤのいずれも、該紐通し口の内部で横方向に移動することができず、該紐通し口は、該紐上で引っ張ることにより締められることが可能である、請求項２４に記載の組み合わせ物。
【請求項２６】
前記紐は可撓性材料から構成される、請求項２５に記載の組み合わせ物。
【請求項２７】
音響源デバイスへの接続のためのコネクタを含む音響接続配線であって、
該コネクタは、一対の音響伝送ワイヤに接続され、
該一対の音響伝送ワイヤは、結合されて、該コネクタから分離点まで延び、該分離点において、該結合された一対のワイヤは、それぞれの左および右のイアホンにおいて終結する左および右のワイヤに分離し、
該分離点において該ワイヤの周りにひずみ解放部材を有することを特徴とする、音響接続配線。
【請求項２８】
前記ひずみ解放部材が、前記分離点の上に成形されることをさらに特徴とする、請求項２７に記載の音響接続配線。
【請求項２９】
前記ひずみ解放部材が、前記一対の音響伝送ワイヤをしっかりと保持することをさらに特徴とする、請求項２７に記載の音響接続配線。
【請求項３０】
別個の左ワイヤおよび右ワイヤのうちの各ワイヤ上に可撓性の紐を含むことをさらに特徴とする、請求項２７に記載の音響接続配線。
【請求項３１】
前記紐が、編まれた材料または可撓性プラスチック材料から構成されることをさらに特徴とする、請求項３０に記載の音響接続配線。
【請求項３２】
各紐が、１つの端部において前記ひずみ解放部材に取り付けられ、別の端部において前記それぞれのイアホンに取り付けられることをさらに特徴とする、請求項３０に記載の音響接続配線。
【請求項３３】
音響供給源デバイスへの接続のためのコネクタを含む音響接続配線であって、
該コネクタは、一対の音響伝送ワイヤに接続され、
該一対の音響伝送ワイヤは、結合されて、該コネクタから分離点まで延び、該分離点において、該結合された一対のワイヤは、それぞれの左および右のイアホンにおいて終結する左および右のワイヤに分離し、
別個の左および右のワイヤのうちの各ワイヤ上に可撓性の紐を含むことを特徴とする、音響接続配線。
【請求項３４】
前記紐が、編まれた材料または可撓性プラスチック材料から構成されることをさらに特徴とする、請求項３３に記載の音響接続配線。
【考案の詳細な説明】
【技術分野】
【０００１】
（関連出願）
本出願は、２００９年６月２５日に出願された米国出願第１２／４９２，０３５号に関し、該出願の内容は本明細書に参照により援用され、出願日の優先権の利益は本出願に対して主張される。
【０００２】
（発明の分野）
本発明は、ＭＰ３プレーヤ、ＣＤプレーヤ、セル電話などのポータブル音響供給源を聴くための衣類および配線の分野である。
【背景技術】
【０００３】
（背景）
聴くためのポータブル音響供給源用配線アセンブリは、ユビキタスである。それらは、一般的にヘッドホンと呼ばれる。ポータブル使用のために適合された１つのタイプのヘッドホンは、イアバッド（ｅａｒ  ｂｕｄ）またはイアホンと呼ばれる。それらのヘッドホンは、供給源デバイスにプラグインされるコネクタを一端部に有する。このコネクタは、次いで通常、耳内または耳に保持される、ユーザの耳に配置されるデバイスに接続される一対のワイヤにつながる。
【０００４】
ユーザは、配線アセンブリを携行し、それを供給源デバイスに接続し、ヘッドホンを耳にセットする。配線は、携行され、利用可能に保たれる必要があり、配線を見つけ、次いでそれを用いることは一般的に厄介である。使用時、配線は、通常、衣類の外に保持され、ヘッドホンは耳にあり、音響デバイスは手に保持されるかまたはポケットに配置され得る。
【０００５】
配線は防水ではない場合があるが、最近、防水配線が、開発され、入手可能である。
【考案の概要】
【課題を解決するための手段】
【０００６】
（発明の詳細な説明）
本発明において、ヘッドホンおよびイアホンを含む音響デバイスの配線は、衣服の中に永続的に取り付けられる。
本考案は、例えば、以下を提供する。
（項目１）
音響供給源デバイスのための衣服と配線との組み合わせであって、
フード紐通し口によって画定されるフードを有する衣服と、
左および右の紐部分であって、該フード紐通し口内の入口端部から延び、該フードを締めるための該フードの左側および右側の該フード紐通し口の外部の出口端部において終結する、左および右の紐部分と、
音響接続配線であって、供給源アクセスコネクタと、一対のワイヤのうちの各１つの端部における該コネクタから左および右のイアホンのそれぞれからの左および右のワイヤとを備えている、音響接続配線と
を備え、該ワイヤは、該衣服の中にアセンブリされ、その結果、該コネクタは、音響供給源デバイスに接続するための該衣服の外部の選択された位置において利用可能であり、該イアホンは、ユーザの耳に配置されるように利用可能である、ワイヤと、
該音響接続配線は、第１の部分の対のワイヤが結合される該コネクタから、それぞれの左および右のイアホンにおいて終結する該ワイヤが別個の左および右のワイヤに分離する分離点まで延びる第１の部分を有し、
該第１の部分は、該衣服の外部から該衣服の内部を通り、移動紐通し口における該衣服の内部に、次いでフード紐通し口の中に延び、該分離点は該フード紐通し口内にあり、
該別個の左および右のワイヤは、左および右のそれぞれの紐部分内部を、該フード紐通し口に延び、該それぞれの紐の出口端部を越えて延び、
該イアホンはユーザの耳の中に挿入され得、音響デバイスは、該コネクタに接続され得、紐内の該別個の左および右のワイヤを有する該紐は該フードを締めるために用いられ得る、組み合わせ。
（項目２）
上記分離点において固定要素をさらに備え、該固定要素は、上記組み合わされたワイヤと、上記紐の入口端部と、該紐の内部の上記別個のワイヤとを掴み、その結果、それらのすべてが互いに対して固定される、項目１に記載の組み合わせ。
（項目３）
移動管は、上記衣服の作製のための他の縫い目と、少なくとも部分的に共通して該移動管の長さに沿って該移動管を縫い付けることによって該衣服に取り付けられる、項目２に記載の組み合わせ。
（項目４）
上記ワイヤは、上記衣服のポケット内の上記コネクタに延び、該コネクタから該衣服内に延びる、項目３に記載の組み合わせ。
（項目５）
ユーザの頭にかぶされるように適合されたフードを有する衣服であって、該フードは締めるためのフード紐通し口を含む、衣服と、
組み合わせの紐部分および配線アセンブリであって、
中空の左の紐要素と中空の右の紐要素とを備えている紐部分であって、各々は該フード紐通し口内の入口端部から該フード紐通し口外の外部端部に延びる、紐部分と、
左および右のイアホンワイヤを備えている配線アセンブリであって、該フード紐通し口内の該紐部分に入り、該左の紐要素および該右の紐要素内にそれぞれ延び、該それぞれの紐の外側端部を出て、それぞれの紐要素の外側の距離を延び、左および右のイアホンにおいて終結する、配線アセンブリと
を備えている、組み合わせの紐部分および配線アセンブリと
を備えている、組み合わされた衣服およびイアホン。
（項目６）
上記イアホンワイヤであって、共通の出口開口部を通って上記フード紐通し口を出るように延び、上記衣服の内部に合った移動紐通し口内に延び、該ワイヤは選択された位置において該移動紐通し口を出て、信号供給源への接続のためのコネクタにおいて終結する、イアホンワイヤをさらに備えている、項目５に記載の組み合わされた衣服およびイアホン。
（項目７）
上記移動紐通し口の端部は、上記衣服のポケットに隣接しており、上記ワイヤは、音響供給源デバイスとの接続へのアクセスのために該ポケット内に延びる、項目６に記載の組み合わされた衣服およびイアホン。
（項目８）
音響供給源配線を衣服に組み合せる方法であって、
予期されたフード紐通し口部分を有するフードを有する衣服を提供することと、
左および右の紐であって、各々が入口端部および出口端部を有する、左および右の紐を画定する中空の紐の２つの長さを提供することと、
音響供給源に接続するためのコネクタと、終結端部に延びる左および右のワイヤ部分とを備えている音響接続配線を提供することと、
該入口端部と中空の紐の該出口端部を越えて延びる該ワイヤ部分の該入口端部と該終結端部からそれぞれ該左および右の中空の紐を通って該左および右のワイヤの部分を取り付けることと、
該中空の紐の該入口端部を互いに隣接するように配置し、それらを一緒に固定することと、
該中空の紐を該予期されたフード紐通し口部分の中に取り付けることであって、その結果、該中空の紐は該予期されたフード紐通し口部分の該左および右に反対の方向に延びる、ことと、
該フード紐通し口内に該中空の紐を有する該フード紐通し口を形成し、該衣服の該左および右側においてそれぞれ該フード紐通し口を越えて延びることであって、該ワイヤの該終結端部もまた該フード紐通し口を越えて延びる、ことと、
該フード紐通し口内の該中空の紐を該衣服に固定することであって、その結果、該中空の紐は、該フード紐通し口に対して一緒に長手方向には移動し得ない、ことと
を包含する、方法。
（項目９）
上記フード紐通し口の中央に隣接した地点において上記長手方向の移動に対抗して該フード紐通し口に上記中空の紐を固定することであって、その結果、各紐は実質的に該フードの半分を締めるために用いられ得る、ことをさらに包含する、項目８に記載の方法。
（項目１０）
上記左および右のワイヤの各終結端部においてイアホンを終結することをさらに包含し、該イアホンは、上記衣服を着用しているときユーザの耳に当てて上記中空の紐外で利用可能であり、該ワイヤが該紐内に延びている該紐は上記フードを締めるために用いられる、項目９に記載の方法。
（項目１１）
上記中空の紐に対して横の移動に対抗するように、各中空の紐に入る上記ワイヤを該紐の上記入口端部に同時に固定することをさらに包含する、項目８に記載の方法。
（項目１２）
上記固定することは、上記入口端部にしっかりと適用され得る固定デバイスを用いて該入口端部を囲むことによって提供される、項目８に記載の方法。
（項目１３）
上記固定することは、固定要素を一緒に保持する上記入口端部に固定要素を取り付けることによって、また、長手方向の移動に対抗して該固定要素を抑える、ポケットを画定する該固定要素の左および右に隣接した上記フード紐通し口を横切って縫うことによって、提供される、項目８に記載の方法。
（項目１４）
上記中空の紐に対して横の移動に対抗するように、上記入口端部において上記中空の紐に入る上記ワイヤを同時に固定することをさらに包含する、項目１２に記載の方法。
【図面の簡単な説明】
【０００７】
【図１】図１は、例示的なタイプのイアホンおよび本発明に適用可能な配線の図である。
【図２】図２は、本発明の実施形態に従って、イアホン配線が衣服に組み込まれた、フード付き衣服の正面図を示す。
【図３】図３は、コネクタを示す衣服および衣服のポケットの中に延びるアクセス配線の部分図を示す。
【図４】図４は、管内の配線が衣服の内部に縫い込まれ、フードの紐通し口に入る衣服の部分図を示す。
【図５】図５は、配線を有するフードの紐通し口内の内部の破断図を示す、フード有する衣服の部分図を示す。
【図６】図６は、バレルによって紐通し口において一緒に保持されるような、配線および中空の紐（ｌａｎｙａｒｄ）を示す。
【図７】図７は、衣服に固定するためのバレルに取り付けられた、タブを有する配線および中空の紐を示す図である。
【図８】図８は、タブによってケーシングに取り付けられた、配線および中空の紐を示す図７の８−８における断面図である。
【図９ａ】図９ａは、電気ワイヤおよびイアバッドへの接続のための接続器具を有する中空の紐の図である。
【図９ｂ】図９ｂは、イアバッドへのアセンブリされた器具を示す図である。
【図１０】図１０は、衣服内の配線、および横方向の移動に対抗する配線および紐を固定する代替の方法を示す、フード付き衣服の紐通し口部分の図である。
【考案を実施するための形態】
【０００８】
図１におけるような例示的なイアホン配線アセンブリ１０は、音響供給源デバイスに接続するコネクタ１２を含むタイプであり、該音響供給源デバイスは、典型的にはひずみ解放部材２０を有する分離点１８までのある距離間に、結合ワイヤ部分１６に沿って一緒に結合された一対のアナログ音声送信ワイヤ１４ａおよび１４ｂを有し、該ひずみ解放部材２０から、送信ワイヤ１４ａ’および１４ｂ’は、別々に延び、イアホン２２ａおよび２２ｂにおいて終結する。用語イアホン配線はこの説明において用いられるが、該用語は、供給源デバイスへの接続部および１つが各耳用である一対の聴取器械を有する任意のタイプを意味することが意図される。典型的には、アナログ信号は供給源デバイスからイアホンに伝わる。
【０００９】
例示的な形態において、衣服は、図２に示されるようなフード付き衣服３０である。他の例示的な形態において、衣服は、伝統的なカラー付きシャツであり、なおも他の例示的形態において、衣服は、クルーネックなどの飾りのないヘムネックを有する。フード付き衣服の場合において、衣服は、前が下に開く（ジッパーまたは他の閉じる手段によって）ジャケット形態かまたはセータなどのプルオーバー形態であり得る。しかしながら、各場合において、本発明の実施形態の目的のために、説明されるような紐通し口またはケーシングがある。この説明において、用語左および右は、着用者の左および右である。図２に示されるように、イアホン配線１０は、衣服の中に取り付けられ、その結果、コネクタ１２は、ポケット３２の近くでアクセス可能であり、右および左のイアホンワイヤ１４ａ’および１４ｂ’は、ユーザの耳の近くのフード３４の各側において中空の紐（引き締め紐とも呼ばれる）３６ａおよび３６ｂ内の衣服を出て、右および左のイアホン２２ａおよび２２ｂにおいて終結する。以下により詳細に説明されるように、そこにアクセスする必要がなくかつフード３４まで走る、コネクタ１２からのイアホン配線１０の部分は、衣服において捕捉される。また図２に示されるのは、右および左の管状の紐３６ａおよび３６ｂである。これらは、イアホンワイヤ１４ａ’および１４ｂ’を覆うため、そしてフード３４を調整する（締める（ｃｉｎｃｈｉｎｇ）と呼ばれる）ために用いられる。中空の紐は、編まれるかまたは中空の柔軟性あるプラスチックであり得る。
【００１０】
図３は、ワイヤ部分１６がポケット３２の中に延び、開口部４０を通ってポケット３２の内壁を出る方法の例を示し、その結果、図４を参照して以下にさらに説明されるように、ワイヤ部分は衣服３０の内部にある。
【００１１】
図４は、イアホン配線１６がポケット３２内の位置からフード紐通し口３８の中に運ばれる方法の例を示す。このことは、ポケット内の開口部４０を通って結合ワイヤ部分１６を通すことによってなされ、ポケットの開口部は、ボタン穴または衣服の内部へのはとめであり得る。次いでイアホン配線は、この場合、ジッパー４４も取り付ける縫い目４６に沿って、衣服の内部に縫い込まれる紐通し口またはケーシング４２の第１の下部の端部に入り、紐通し口またはケーシング４２を通って進む。次いでイアホン配線は、第２の上部の端部において紐通し口４２を出て、ボタン穴または、はとめなどの他の穴によって画定される開口部５０を通って、縫い目４８によって画定されるフード紐通し口３８（ケーシングとも呼ばれる）に入り、フード３４の内部にあるフード紐通し口３８の側面に入り、ワイヤが分離する分離点１８まで延びる。フード紐通し口３８内のさらなる詳細は、以下に説明される。
【００１２】
配線の取り付けは、ポケットを有しない衣服に対してなされ得、この場合、配線は、衣服のボタンを越えて単純に延び得るかまたは衣服の開口部を通過し得る。
【００１３】
図５は、紐通し口の内部を示す部分破断図を有するフード紐通し口３８の内部の図を示す。ワイヤ１４ａおよび１４ｂを備えている結合部分１６は、図４を参照して上に説明されるようにフード紐通し口３８に入り、この部分は、ワイヤが分離するひずみ解放部材２０がフード３４のおおよそ中央にくるように配置される。右および左の別個のワイヤ１４ａ’および１４ｂ’は、それぞれ右および左の中空の紐３６ａおよび３６ｂ内に取り付けられる。ワイヤ１４ａ’および１４ｂ’がひずみ解放２０から出て、中空の紐３６ａおよび３６ｂに入る地点のアセンブリは、以下の図６〜図８に説明される。右および左のワイヤ１４ａ’および１４ｂ’をそれぞれ内に有する右および左の中空の紐３６ａおよび３６ｂは、開口部５２ａおよび５２ｂを通ってフード紐通し口３８を出て、この実施形態においてはフード紐通し口３８の外部にあるが、それらは内部にあり得る。
【００１４】
図６は、フード紐通し口３８内のワイヤの安全な「Ｙ」接続の実施形態を示す。この実施形態において、固定部品とも呼ばれるひずみ解放２０は、結合したワイヤ１４ａおよび１４ｂが別個のワイヤ１４ａ’および１４ｂ’に分離する分離点１８の上に成形されたプラスチックバレルである。ワイヤ１４ａ’および１４ｂ’がそれぞれ中空の紐３６ａおよび３６ｂに入るのもこの地点においてである。固定デバイス２０は、紐の端部を互いにおよびワイヤに対して堅く保持する。これは、固定点５４と呼ばれる。
【００１５】
ワイヤがその中にある紐３６ａおよび３６ｂが、一様でない引っ張りなどによる一方向またはもう一方に横に紐を引っ張ることを避けるために、フード紐通し口３８内の衣服に取り付けられることが好ましい。これが行われ得る様々な方法がある。１つの方法は、固定点５４においてまたは固定点５４の近くにアセンブリを衣服に固定することである。一実施形態において、これは、図５、図７および図８に示されるように、固定部品２０の周りに固定された布切れ５６を用いて行われ、縫い付けおよび糊付けは例示である。布切れは次いで、ケーシングまたは紐通し口３８を画定するヘム縫い目４６に一緒に縫い込まれる。詳細は図８に示され、図８において、布きれ５６は、５８において縫われ、固定部品２０の周りに布切れを固定することを助ける。次いで、布切れが適切な位置にセットされた後、６０に示されるようにフード紐通し口ヘムに一緒に縫われる。
【００１６】
図１０は、横の移動に対抗するように、紐／ワイヤ部材を固定する別の実施形態を示す。この実施形態において、固定部品２０は、どちらか側において縫い目線６６の間に捕捉される。もちろん縫い目線６６は、配線を避けなければならない。
【００１７】
上に説明されるように、本発明の一実施形態は、フード紐通し口３６ａおよび３６ｂを別個のワイヤ部分１４ａ’および１４ｂ’と組み合わせ、その結果、中空の紐は、２つの目的、すなわち１つはフードを締めることと、第２に別個のワイヤ部分１４ａ’および１４ｂ’のための導管として働く。紐３６ａおよび３６ｂの端部は、イアホン２２ａおよび２２ｂに固定され、イアホン２２ａおよび２２ｂは、図においてイアバッドタイプのイアホンとして示される。
【００１８】
配線が衣服に永続的に取り付けられるようにアセンブリを製造するために、別個のワイヤ１４ａ’および１４ｂ’はまず、紐３６ａおよび３６ｂに通される。次いで、成形されたバレル２０は、ワイヤと紐とを一端部において結合する「Ｙ」連結固定点５４において適切な位置に成形される。次いで組み合わされた紐およびワイヤのもう一方の端部は、図９ａに示されるようにひずみ解放接続器具６２にクリンプされ、次いではぎ取られたワイヤ部分６４は、イアバッド２２ａおよび２２ｂに取り付けられ、接続器具６２は、図９ｂに示されるようにイアバッド２２ａおよび２２ｂに固定される。
【００１９】
この説明において、用語右および左は、衣服に対する、紐、ワイヤおよびイアホンの位置を理解するために用いられたが、該位置が、ユーザの左および右の耳への付着に適用され得るが、ユーザの左および右の耳への付着に必ずしも一貫して適用されるとは限らないことは理解されるべきである。ユーザは、左のイアホンを左の耳に、右のイアホンを右の耳に付着し得る。しかし、ユーザは、反対のことを行うことを選び得、紐が伝統的なちょう結びで結ばれたとき、左および右のイアホンはその相対的な位置を逆にする。
【００２０】
上記の例示的な好ましい実施形態の詳細な説明は、法律の要件に従って例示および開示の目的のために提示された。排他的であること、説明された正確な一形態または複数の形態に本発明を限定することは意図されないで、本発明が特定の使用または実装に適し得る方法を当業者が理解することを可能にすることのみが意図される。修正および変形の可能性は、当業者にとって明らかである。公差、形体寸法、特定の動作条件、工学的仕様または類似のものを含み得、かつ実装ごとまたは最新の技術の変化によって変化し得る例示的な実施形態の説明によっていかなる限定も意図されないし、いかなる限定も例示的実施形態に含意されるべきではない。この開示は、最新の技術に対してなされたが、進歩を熟慮し、将来の改造が、それらの進歩を、すなわちその時点での最新の技術に従って、考慮に入れられ得ることを熟慮する。本発明の範囲が文書による特許請求の範囲および適用可能な均等物によって定義されることが意図される。単数形の特許請求の要素に対する言及は、そのように明白に述べられていない限り、「１個および１個のみ」を意味することは意図されない。さらに、この開示におけるいかなる要素、構成要素、または方法もしくはプロセスステップも、要素、構成要素、またはステップが特許請求の範囲に明白に説明されているかどうかにかかわらず、公開専用であることは意図されない。要素がフレーズ「．．．の手段」を用いて明確に説明されない限り、本明細書におけるいかなる特許請求の要素も３５  Ｕ．Ｓ．Ｃ．第１１２条第６パラグラフの条項に基づいて解釈されるべきではなく、１つのステップまたは複数のステップがフレーズ「．．．のステップを包含する」を用いて明確に説明されない限り、本明細書におけるいかなる方法またはプロセスステップもそれら条項に基づいて解釈されるべきではない。
【図１】
0003179964.tif 000003
【図２】
0003179964.tif 000004
【図３】
0003179964.tif 000005
【図４】
0003179964.tif 000006
【図５】
0003179964.tif 000007
【図６】
0003179964.tif 000008
【図７】
0003179964.tif 000009
【図８】
0003179964.tif 000010
【図９ａ】
0003179964.tif 000011
【図９ｂ】
0003179964.tif 000012
【図１０】
0003179964.tif 000013
【手続補正書】
【提出日】平成24年8月20日(2012.8.20)
【手続補正１】
【補正対象書類名】実用新案登録請求の範囲
【補正対象項目名】全文
【補正方法】変更
【補正の内容】
【実用新案登録請求の範囲】
【請求項１】
音響供給源デバイスのための衣服と配線との組み合わせ物であって、
フード紐通し口によって規定されるフードを有する衣服と、
左の紐部分および右の紐部分であって、該左の紐部分および右の紐部分は、該フード紐通し口の内部の入口端部から延び、該フードを締めるための該フードの左側および右側の該フード紐通し口の外部の出口端部において終結する、左の紐部分および右の紐部分と、
音響接続配線であって、該音響接続配線は、供給源アクセスコネクタと、左のワイヤおよび右のワイヤとを含み、該左のワイヤおよび右のワイヤは、該コネクタから、それぞれが一対のワイヤのうちの各ワイヤの端部にある左のイアホンおよび右のイアホンまでのものである、音響接続配線と
を含み、
該ワイヤは、該衣服の中に組み込まれ、その結果、該コネクタは、音響供給源デバイスに接続するための該衣服の外部の選択された位置において利用可能であり、該イアホンは、ユーザの耳に配置するために利用可能であり、
該音響接続配線は、第１の部分を有し、該第１の部分は、第１の部分の対のワイヤが結合される該コネクタから分離点まで延び、該分離点において、該第１の部分の対のワイヤは、それぞれの左のイアホンおよび右のイアホンにおいて終結する別個の左のワイヤおよび右のワイヤに分離し、
該第１の部分は、該衣服の外部から該衣服の内部を通り、移動紐通し口において該衣服の内部に延び、次いで該フード紐通し口の中に延び、該分離点は該フード紐通し口の内部にあり、
該別個の左のワイヤおよび右のワイヤは、左および右のそれぞれの紐部分の内部に、該フード紐通し口の各側まで延び、そして、該それぞれの紐の出口端部を越えて延び、
これにより、該イアホンはユーザの耳の中に挿入されることが可能であり、音響デバイスは、該コネクタに接続されることが可能であり、該別個の左および右のワイヤを内部に有する該紐は該フードを締めるために用いられることが可能である、組み合わせ物。
【請求項２】
前記分離点に固定要素をさらに含み、該固定要素は、前記組み合わされたワイヤと、前記紐の前記入口端部と、該紐の内部の前記別個のワイヤとを掴み、その結果、それらのすべてが互いに対して固定される、請求項１に記載の組み合わせ物。
【請求項３】
移動管が、前記衣服の作製のための他の縫い目と少なくとも部分的に共通して該移動管の長さに沿って該移動管を縫い付けることにより、該衣服に取り付けられる、請求項２に記載の組み合わせ物。
【請求項４】
前記ワイヤは、前記衣服のポケットの内部の前記コネクタから延び、該コネクタから該衣服の内部に延びる、請求項３に記載の組み合わせ物。
【請求項５】
ユーザの頭にかぶされるように適合されたフードを有する衣服であって、該フードは締めるためのフード紐通し口を含む、衣服と、
紐部分と配線アセンブリとの組み合わせ物と
を含み、
該紐部分と配線アセンブリとの組み合わせ物は、
中空の左の紐要素と中空の右の紐要素とを含む紐部分であって、各紐要素は該フード紐通し口の内部の入口端部から該フード紐通し口の外部の外部端部まで延びる、紐部分と、
左および右のイアホンワイヤを含む配線アセンブリであって、該フード紐通し口の内部の該紐部分に入り、該左の紐要素および該右の紐要素の内部にそれぞれ延び、該それぞれの紐の該外部端部を出て、それぞれの紐要素の外部の距離を延び、左および右のイアホンにおいて終結する、配線アセンブリと
を含む、組み合わされた衣服およびイアホン。
【請求項６】
前記イアホンワイヤであって、共通の出口開口部を通って前記フード紐通し口を出るように延び、前記衣服の内部に合った移動紐通し口内に延び、該ワイヤは選択された位置において該移動紐通し口を出て、信号供給源への接続のためのコネクタにおいて終結する、イアホンワイヤ
をさらに含む、請求項５に記載の組み合わされた衣服およびイアホン。
【請求項７】
前記移動紐通し口の端部は、前記衣服のポケットに近接しており、前記ワイヤは、音響供給源デバイスへの接続のためのアクセスのために該ポケット内に延びる、請求項６に記載の組み合わされた衣服およびイアホン。
【請求項８】
音響供給源配線と衣服との組み合わせ物であって、
見込みフード紐通し口部分を有するフードを有する衣服と、
左および右の紐を規定する２つの長さの中空の紐であって、該左および右の紐の各々が入口端部および出口端部を有する、中空の紐と、
音響供給源に接続するためのコネクタと、終結端部まで延びる左および右のワイヤ部分とを含む音響接続配線と
を含み、
該左および右のワイヤ部分は、それぞれ、該入口端部と、該中空の紐の該出口端部を越えて延びる該ワイヤ部分の該終結端部とから、該左および右の中空の紐を通って延び、
該中空の紐の入口端部は接近させられ、互いに対して固定され、
該中空の紐は、該見込みフード紐通し口部分の中に延び、その結果、該中空の紐は、該見込みフード紐通し口部分の左および右に対向した方向に延び、
該中空の紐は、該フード紐通し口の内部にあり、該衣服の該左側および右側においてそれぞれ該フード紐通し口を越えて延び、これにより、該ワイヤの該終結端部もまた該フード紐通し口を越えて延び、
該中空の紐は、該フード紐通し口の内部で該衣服に固定され、その結果、該中空の紐は、該フード紐通し口に対して一緒に長手方向には移動することができない、組み合わせ物。
【請求項９】
前記中空の紐は、前記フード紐通し口の中央に近接する地点において該フード紐通し口における前記長手方向の移動に対抗するように固定され、その結果、各紐は実質的に前記フードの半分を締めるために用いられることが可能である、請求項８に記載の組み合わせ物。
【請求項１０】
前記左および右のワイヤの各終結端部におけるイアホンをさらに含み、これにより、該イアホンは、前記衣服を着用しているときに、前記中空の紐の外部において、ユーザの耳に当てるために利用可能であり、該ワイヤがその内部に延びている該紐は前記フードを締めるために用いられることが可能である、請求項９に記載の組み合わせ物。
【請求項１１】
各中空の紐に入る前記ワイヤは、該中空の紐に対して横方向の移動に対抗するように該紐の前記入口端部に固定される、請求項８に記載の組み合わせ物。
【請求項１２】
前記入口端部は、該入口端部にしっかりと適用されることが可能な固定デバイスによって囲まれる、請求項８に記載の組み合わせ物。
【請求項１３】
固定要素をさらに含み、該固定要素は、該固定要素を一緒に保持する前記入口端部に取り付けられ、前記フード紐通し口は、長手方向の移動に対抗して該固定要素を抑えるポケットを規定する該固定要素の左端部および右端部に近接する該フード紐通し口にわたって
縫われる、請求項８に記載の組み合わせ物。
【請求項１４】
前記入口端部において前記中空の紐に入る前記ワイヤは、該中空の紐に対して横方向の移動に対抗するように固定される、請求項１２に記載の組み合わせ物。
【請求項１５】
音響供給源デバイスのための衣服と配線との組み合わせ物であって、
開口部部分と、該開口部部分の少なくとも一部の周りに延びる紐通し口とを有する衣服と、
供給源アクセスコネクタを含む音響接続配線であって、該音響接続配線は、第１の部分の対のワイヤを有し、該第１の部分の対のワイヤは、結合されて、該コネクタから分離点まで延び、該分離点において、該結合された一対のワイヤは、それぞれの左および右のイアホンにおいて終結する別個の左および右のワイヤに分離し、該音響接続配線は、該衣服に組み込まれ、その結果、該コネクタは、音響供給源デバイスに接続するための選択された位置において利用可能である、音響接続配線と、
該分離点において該ワイヤの周りに提供され、該ワイヤを意図されない分離に対抗して固定するひずみ解放部材と
を含み、
これにより、音響供給源デバイスは、該コネクタに取り付けられることが可能であり、該イアホンはユーザの耳の中に挿入されることが可能であり、該配線は、該紐通し口内の該ワイヤの意図されない分離に対して保護される、組み合わせ物。
【請求項１６】
前記分離点および前記ひずみ解放部材は、前記紐通し口の内部にあり、該紐通し口から出る前記別個の左および右のワイヤは、それぞれ、前記それぞれの左および右のイアホンにおいて終結する該紐通し口の外部に、ある長さを有する、請求項１５に記載の組み合わせ物。
【請求項１７】
前記ひずみ解放部材に取り付けられ、前記衣服にも取り付けられる固定部材をさらに含むことにより、該衣服に対する前記ワイヤの移動を防ぐ、請求項１５に記載の組み合わせ物。
【請求項１８】
前記ひずみ解放部材に取り付けられ、前記衣服にも取り付けられる固定部材をさらに含むことにより、前記紐通し口の内部での前記ワイヤの横方向の移動を防ぐ、請求項１６に記載の組み合わせ物。
【請求項１９】
前記固定部材は、前記ひずみ解放部材に取り付けられ、かつ、前記紐通し口を規定するヘム縫い目内に一緒に縫い込まれる布製ストリップである、請求項１８に記載の組み合わせ物。
【請求項２０】
前記ひずみ解放部材は、前記分離点において前記ワイヤの周りに適用されたプラスチックバレルである、請求項１５に記載の組み合わせ物。
【請求項２１】
前記プラスチックバレルに接着により適用され、かつ、前記衣服に縫い付けることにより該衣服に取り付けられる布製ストリップを含む固定部材をさらに含む、請求項２０に記載の組み合わせ物。
【請求項２２】
前記分離点および前記ひずみ解放部材は、前記紐通し口の内部にあり、該紐通し口から出る前記別個の左および右のワイヤは、それぞれ、前記それぞれの左および右のイアホンにおいて終結する該紐通し口の外部に、ある長さを有する、請求項２１に記載の組み合わせ物。
【請求項２３】
前記開口部部分は、前記衣服の襟であり、前記紐通し口は、該襟の周りに延びている、請求項１５に記載の組み合わせ物。
【請求項２４】
前記開口部部分は、フードを含み、前記紐通し口は、該フードの周りに延びている、請求項１６に記載の組み合わせ物。
【請求項２５】
前記紐通し口の内部の入口端部から延びる中空の左および右の紐をさらに含み、該中空の左および右の紐の内部に、前記左および右のワイヤがそれぞれ延び、各紐は、入口端部において前記ひずみ解放部材に取り付けられ、前記紐通し口の外部に外部終結端部を有し、各紐中のイアホンは、該紐の該終結端部を越えて該紐内に延び、これにより、該紐または該紐の内部のワイヤのいずれも、該紐通し口の内部で横方向に移動することができず、該紐通し口は、該紐上で引っ張ることにより締められることが可能である、請求項２４に記載の組み合わせ物。
【請求項２６】
前記紐は可撓性材料から構成される、請求項２５に記載の組み合わせ物。